(57)【要約】      （修正有）【課題】大中小あるサイズの運動靴から、長靴まで洗えるようにした、ブラシベルト式靴洗い機を提供する。【解決手段】ブラシベルト本体を、斜め下に角度ができるように中空軸１と、ブラシベルト本体の間に、ヒンジ８、８を両方に設け、またブラシベルト本体が、下斜め向きになった状態でもブラシベルトは、動き廻るように軸棒３の下に、ユニバーサルジョイント７を設け、本ブラシをスム−ズに動かすようにしたものである。また、中空軸１を、動力側とブラシベルト本体側を別々に設け、この双方にソケッット式を設け、大中小と別々に設けたブラシベルト本体側だけを、この動力側中空軸に、取り付け交換しても良い。【選択図】図３
0003166132.tif 000002
【実用新案登録請求の範囲】
【請求項１】
中空軸と、ブラシベルト本体の間にヒンジを設け，軸棒の下にユニバ−サルジョイントを設け、ブラシベルト本体が斜め向きに角度が取れるよぅにした、ブラシベルト式靴洗い機。
【請求項２】
中空軸を、動力側中空軸とブラシベルト本体側中空軸と別々に設け、動力側中空軸に、大中小と、色々サイズのブラシベルト本体が、ソケット式で取り付け交換ができるようにした請求項２の、ブラシベルト式靴洗い機。
【考案の詳細な説明】
【技術分野】
【０００１】本考案は、大中小あるサイズの運動靴から、長靴まで洗えるようにした、ブラシベルト式靴洗い機に関するものである。
【背景技術】
【０００２】大中小ある運動靴や長靴などを、一つのブラシベルト式靴洗い機で洗うには、無理があった。
【考案の開示】
【考案が解決しようとする課題】
【０００３】先に出願されているブラシベルト式靴洗い機は、普通の運動靴などを洗うには問題はなかっったが、長靴などを洗う際には、このブラシベルトを長靴の中に入れよぅとすると、人の足首のよぅに自由がきかず入れにくかった。
つぎに、運動靴や作業靴など靴の大中小のサイズを、一つのブラシベルト式靴洗い機で洗うには無理があた、とくに大きいサイズのブラシベルト本体は、小学生サイズの靴の中には入らないために、新たに小さいサイズのブラシベルト式靴洗い機が必要であった。
【課題を解決するための手段】
【０００４】この考案は、中空軸１とブラシベルト本体４の、接合部双方にヒンジ８、８を設け、軸棒３の下にユニバ−サルジョイント７を設け、ブラシベルト本体４が、この中空軸１と斜下に角度をつけられるように設け、ブラシベルト１２を、動かすようにしたものである。
つぎに、中空軸１を、動力側中空軸２とブラシベルト本体４側に切り離し、ブラシベルト本体側だけを、大サイズ型、中サイズ型、小サイズ型に設け、靴のサイズに合わせて取り替え交換が、できるようにしたものである。
【考案の効果】
【０００５】ブラシベルト本体４を、斜めに角度をつけながら長靴の中を右左右左、ゴシゴシと、こすり動きながら入れて行くことができ、またより色々な場所に使用が出来るようになった。つぎに、請求項２では、この働力側中空軸２に、ブラシベルト本体４の、大中小のサイズ何れかに取り替えが出来るようにした。したがってこれは動力側中空軸２は、一つあればブラシベルト本体４の、大サイズ、中サイズ、小サイズと設けたもの、何れか一つを、靴のサイズに合わせて取り替え交換して使うことができ、便利で経済的にもよくなった。
【実施例】
【０００６】中空軸１と、ブラシベルト本体４の間、この双方の接合部にブラシベルト本体４が、図２に示すように、斜め下向きに動くようにヒンジ８、８を両方に設け、またブラシベルト本体４が、斜め向に角度をつけてもブラシベルト１２や、各ブラシがスム−ズに右左右左と廻るよぅうに軸棒３の下に、曲がっても廻らす事ができるユニバ−サルジョイント７を設け、廻そうとするものである。そしてブラシベルト本体４を、上下斜めに動かしたり、これを止めたりさせるために、図３に示すようにのように、本体止金開口部２０を設け、ブラシベルト本体４に、本体止金部２１を設け、そしてこの本体止金部２１を止める、止金レバ−２４を中空軸１の内側に設け、ブラシベルト本体４を止めたり、またこの止金レバ−２４を、本体止金部２１から、上に引き抜きブラシベルト本体４を、バネ９、９の力で、斜めに下がるようにしたものである、またこの時、同時にギヤ−付きスリ−ブ１０と、連結されてる後方ブラシ１３、またリングブラシ１４も、スリ−ブ上げ下げ金具２５で、上下作動したりしてブラシベルト全体がスム−ズに動くようにしたものである。本考案は、自ら出願してる、特願２００５−１２２８９５のように、ブラシベルト式靴洗い機、同様ベルトにブラシを付け、これに図９、図１１のように、上ブラシ、及び下ブラシそれぞれを設け、そして後方ブラシ１３に、リングブラシ１４を設けたものに、今回のこの考案を新たに設け、ハンディタイプで、より便利にしたものである。したがってブラシベルト４の、動きも右左右左、とゴシゴシ動き廻りながら、長靴の中に入れていくことができて、洗えるよぅに考案されたものである。【０００７】中空軸１の、働力側（モ−タ−、バッテリ−、スイッチ）側と、図７、８に示すように、ブラシベルト本体側とを別々に設け、また取り替え、交換接合させるものである、そしてこれを、うまく接合させたりするために、動力側中空軸２とブラシベルト側中空軸１５の双方に、ギヤ付きソケット部１６、ギヤ付きソケット部１７を設け、差し込み式で接合ができるようになさでたものである、このギヤ−付きソケット式は、ブラシベルト１２が、右左右左と作動しても、働力側中空軸２と、ブラシベルト本体４側との、擦れ防止とともに、また洗う場所によって、この動力側中空軸２と、ブラシベルト本体４側との向きも、図２に示すように、替えれるように、このギヤ−付きソケットは設けたものである。これはこのように、動力側中空軸２からブラシベルト本体４だけを、取り替え交換、あるいわ向きを替えたりするものであるから、これを取り替え交換するときはブラシベルト本体４側の、ギヤ付きソケット部１７に設けた、取り外しボタン１８、１８を押して、ブラシベルト本体４を、この動力側ギヤ−付きソケット部１６から、下に引き抜いて、取り替え交換が、できるようにしたものである、またこの時、同時に中空軸の中の、動力側ギヤ−付き軸棒５も、ブラシベルト側、ギヤ−付き筒軸棒６の中から、同時に抜ける仕組みになっている。この考案は、このような型式でこのような構造であるから、ブラシベルト本体４の、取り替え交換、あるいは向きを換えたりも、ソケット式で簡単に、できるようにしたものである。
【図面の簡単な説明】
【０００８】
【図１】本考案の実施例を表す図である。
【図２】ヒンジ状況を表す断面図である。
【図３】請求項１の、ヒンジを表す断面図である。
【図４】ユニバ−サルジョイントを表す断面図である。
【図５】ソケット状況を表す断面図である。
【図６】請求項１、請求項２を表す断面図である。
【図７】取り外した、動力側中空軸を表した断面図である。
【図８】取り外したブラシベルト本体側をあらわす断面図である。
【図９】本案の平面図の一部断面図である。
【図１０】平面断面図である。
【図１１】本案の底面図である。
【符号の説明】
【０００９】１  中空軸                          ２７  上前ブラシ
２  動力側中空軸                    ２８  上ブラシ
３  軸棒                            ２９  上ブラシ
４  ブラシベルト本体                ３０  上ブラシ
５  動力側ギヤ−付き軸棒            ３１  下前ブラシ
６  ギヤ−付き筒軸棒                ３２  下ブラシ
７  ユニバ−サルジョイント          ３３  下ブラシ
８  ヒンジ                          ３４  下ブラシ
９  バネ                            ３５  下ブラシ
１０  ギヤ−付きスリ−ブ            ３６  リングブラシ軸
１１  軸棒ギヤ−部                  ３７  リングブラシ軸開口部
１２  ブラシベルト                  ３８  後方軸
１３  後方ブラシ                    ３９  後方軸開口部
１４  リングブラシ                  ４０  駆動プ−り−
１５  ブラシベルト側中空軸          ４１  側プ−リ−
１６  ギヤ−付きソケットａ部        ４２  前プ−リ−
１７  ギヤ−付きソケットｂ部        ４３  側プ−リ−
１８  取り外しボタン                ４４  ア−ムａ
１９  取り外しボタン穴              ４５  ア−ムｂ
２０  本体止金開口部                ４６  クランク
２１  本体止金部                    ４７  傘歯車
２２  引っ掛け当たり部              ４８  モ−タ−側傘歯車
２３  受け止め部                    ４９  モ−タ−
２４  止金レバ−                    ５０  バッテリ−
２５  スリ−ブ上げ下げ金具          ５１  スッチ
２６  支え板                        ５２  下ブラシ歯車滑り歯車カバ−
【図１】
0003166132.tif 000003
【図２】
0003166132.tif 000004
【図３】
0003166132.tif 000005
【図４】
0003166132.tif 000006
【図５】
0003166132.tif 000007
【図６】
0003166132.tif 000008
【図７】
0003166132.tif 000009
【図８】
0003166132.tif 000010
【図９】
0003166132.tif 000011
【図１０】
0003166132.tif 000012
【図１１】
0003166132.tif 000013
【手続補正書】
【提出日】平成22年11月18日(2010.11.18)
【手続補正１】
【補正対象書類名】実用新案登録請求の範囲
【補正対象項目名】全文
【補正方法】変更
【補正の内容】
【実用新案登録請求の範囲】
【請求項１】
中空軸の下端部双方に、ヒンジ部の片側それぞれを設け、ブラシベルト本体の踵側双方に、もう一方の片側ヒンジを設け、中空軸とブラシベルト本体側の互いのヒンジ部を接合し、ブラシベルト本体が斜めに角度が取れるように設け、
中空軸の中の動力側軸棒の下にユニバ−サルジョイントを設け、ブラシベルト本体が斜め向きに角度が取れても、ラシベルトが動き回るようにした、ブラシベルト式靴洗い機。
【請求項２】
中空軸を、動力側中空軸とブラシベルト本体側中空軸と別々に設け、動力側中空軸に大中小と、色々なサイズのブラシベルト本体が、ソケット式で取付け交換ができるようにした請求項１の、ブラシベルト式靴洗い機。